(57)【特許請求の範囲】
【請求項１】
フレームの下部に設けられた駆動プーリと上部に設けられた上部プーリとの間に張設された無端ベルトからなる搬送ベルトの上昇動の途中、パチンコ玉を玉磨き布により磨きながら上方へ移送する玉磨き揚送装置において、
前記駆動プーリの支軸を軸支する一方側のフレームをその駆動プーリの取付けられる上部フレームとベースに取付けられる下部フレームとに所定の間隙を有して２分割し、
前記２分割された上部フレーム及び下部フレームの対向する辺の一部に凹部又は凸部を設け、
前記２分割された上部フレーム及び下部フレームは、それら両フレームに当接される接続板で一体化され、
前記接続板の当接面には、前記上部フレーム及び下部フレームの間隙に挿入し、かつ、前記上部フレーム及び下部フレームに設けられた凹部又は凸部に合致する凸部又は凹部を有する突起部が一体的に設けられている、
ことを特徴とする玉磨き揚送装置。
【発明の詳細な説明】
【０００１】
【発明の属する技術分野】
本発明は、パチンコ玉の玉磨き揚送装置に係り、特に、搬送ベルトを回転駆動させるモータ内蔵の駆動プーリの取付けを容易に行えるようにしたものに関する。
【０００２】
【従来の技術】
従来、この種の玉磨き揚送装置は、垂直状に伸びるフレームの下部に設けられたモータ内蔵の駆動プーリと、そのフレームの上部に設けられた上部プーリとの間に無端ベルトからなる搬送ベルトを張設し、その搬送ベルトの上昇動する搬送側に玉磨き用布を対設して構成されている（例えば、特開平１０−５４３４号公報等）。
【０００３】
上記駆動プーリのフレームへの支持機構は、搬送ベルトの交換に便利なように、駆動プーリの支軸の一方側のフレームは、開放可能に構成されている。したがって、駆動プーリの支軸の一方側が開放されると、搬送ベルトの交換が容易にできるとともに、駆動プーリの修理等のときなど、その駆動プーリをフレームから容易に取出すことができる。
【０００４】
【発明が解決しようとする課題】
しかしながら、上記従来の玉磨き揚送装置は、駆動プーリの支軸の一方側のフレームが開放自在に構成されるために、例えば、特開平１１−１９３２１号公報に示されるように、ヒンジ機構を必要とするなど、構造が複雑にならざるを得なかった。
【０００５】
また、開放側の支軸位置は、フレームが開放されるため一定とはならず、フレームを閉じた後に支軸位置を調整する調整ねじで支軸位置を調整する必要があり、作業が煩雑になる欠点があった。
【０００６】
そこで、本発明は、上記欠点を解決するためになされたものであって、その目的は、駆動プーリの開放側のフレーム構造を簡単にするとともに、支軸位置の調整の必要のない玉磨き揚送装置を提供することにある。
【０００７】
【課題を解決するための手段】
本発明に係る玉磨き揚送装置は、上記目的を達成するために、フレームの下部に設けられた駆動プーリと上部に設けられた上部プーリとの間に張設された無端ベルトからなる搬送ベルトの上昇動の途中、パチンコ玉を玉磨き布により磨きながら上方へ移送する玉磨き揚送装置において、前記駆動プーリの支軸を軸支する一方側のフレームをその駆動プーリの取付けられる上部フレームとベースに取付けられる下部フレームとに所定の間隙を有して２分割し、前記２分割された上部フレーム及び下部フレームの対向する辺の一部に凹部又は凸部を設け、前記２分割された上部フレーム及び下部フレームは、それら両フレームに当接される接続板で一体化され、前記接続板の当接面には、前記上部フレーム及び下部フレームの間隙に挿入し、かつ、前記上部フレーム及び下部フレームに設けられた凹部又は凸部に合致する凸部又は凹部を有する突起部が一体的に設けられている、ことを特徴としている。
【０００８】
【発明の実施の形態】
以下、本発明の実施の形態を図面に基づいて説明する。図１（ａ）は、一実施の形態に係る玉磨き揚送装置ａの途中を一部省略した側面図、（ｂ）は、その下部部分の背面図である。
【０００９】
先ず、玉磨き揚送装置ａ全体の構成から説明すると、この玉磨き揚送装置ａは、ベース（基台）１から垂直状に伸びるフレーム２を有していて、そのフレーム２の下部には、モータ内蔵の駆動プーリＰ1 が設けられているとともに、そのフレーム２の上部には、上部プーリＰ2 が設けられている。そして、これら両プーリＰ1 ，Ｐ2 間に無端ベルトからなる搬送ベルトＢが張設されている。
【００１０】
図中、Ｐ3 は搬送ベルトＢを案内する案内プーリ、及びＰ4 は搬送ベルトＢに所定の張力（テンション）を与えるテンションプーリである。なお、このテンションプーリＰ4 は、本出願人が別途提案しているもので、ワンタッチで搬送ベルトＢに所定の張力を与えることができるように構成されている。
【００１１】
搬送ベルトＢの上昇動する側のフレーム２には、すなわち、図１（ａ）において、フレーム２の左側には、その上昇動する無端ベルトＢを中間に介在させて、図示しない玉磨き布を張設した上下で２分割された当板３，３が設けられている。この当板３，３は、図示しないヒンジを介して開閉自在に構成されていて、玉磨き布を定期的に交換できるように構成されている。
【００１２】
上記構成の玉磨き揚送装置ａにおいて、図１（ａ）の矢印▲１▼に示されるように導入樋４に供給されたパチンコ玉（図示せず）は、搬送ベルトＢの正面側（図１（ａ）において搬送ベルトＢの右側の面側）に供給される。そして、その供給されたパチンコ玉は、搬送ベルトＢと当板３，３に張設された玉磨き布との間を摺動される間に磨かれる。磨かれたパチンコ玉は、図１（ａ）の矢印▲２▼に示されるように、フレーム２の上端から排出され、図示しない遊技島に設けられた各パチンコ機械に供給される。
【００１３】
さて、フレーム２の下部に設けられている駆動プーリＰ1 について、図２の分解説明図をも用いて説明する。
【００１４】
駆動プーリＰ1 の支軸１０の一方側を軸支するフレーム２の下部は、図２に示されるように、所定の間隔を保って上下に２分割されている。そして、その２分割された上方の上部フレーム２ａには、駆動プーリＰ1 が取付けられているとともに、下方の下部フレーム２ｂは、ベース１（図２では省略。図１（ｂ）参照）に取付けられている
【００１５】
駆動プーリＰ1 の支軸１０の他方側は、図１（ｂ）に示されるように、フレーム２の他方側の下部フレーム２ｃに取付けられている。この下部フレーム２ｃは、図２に示される一方側のように２分割されることなく、ベース１（図２では省略）に取付けられている。
【００１６】
両フレーム２ａ，２ｃへの駆動プーリＰ1 の取付けは、両フレーム２ａ，２ｃに設けられた切込部２ａ′，２ｃ′に角柱からなる駆動プーリＰ1 の支軸１０をそれぞれ挿入した後、押え板１１，１２を下部フレーム２ａ，２ｃにそれぞれねじ止めすることにより行われる。
【００１７】
上部フレーム２ａの下辺のほぼ中央部分には、三角形状の凹部１３ａが設けられているとともに、その凹部１３ａに対向した下部フレーム２ｂにも三角形状の凹部１３ｂが設けられている。
【００１８】
図２中、１４は接続板であって上記両フレーム２ａ，２ｂの接合部分を覆う大きさに形成された長方形状の板材から構成されている。そして、その接続板１４の一方の面、つまり、両フレーム２ａ，２ｂに当接される面には、両フレーム２ａ，２ｂ間の間隔に挿入でき、かつ、上部フレーム２ａに設けられた凹部１３ａに挿入できる大きさの三角形状の凸部１５ａ、及び下部フレーム２ｂに設けられた凹部１３ｂに挿入できる大きさの三角形状の凸部１５ｂを有する突起部１５が一体的に設けられている。
【００１９】
この突起部１５の形状は、上部フレーム２ａと下部フレーム２ｂとが接続板１４で接続された際、上部フレーム２ａに設けられた駆動プーリＰ1 が正常な位置にあるときの両フレーム２ａ，２ｂの間隙を埋め、かつ、凹部１３ａと凸部１５ａ、及び凹部１３ｂと凸部１５ｂとが合致するように決められている。したがって、以後、この突起部１５を介在させて両フレーム２ａ，２ｂが接続板１４を介して結合されたときは、駆動プーリＰ1 は位置調整済みとなる。
【００２０】
図２中、１６ａ，１６ｂは、上部フレーム２ａに設けられた凹部１３ａを挟むように設けられたねじ孔であり、また、１７ａ，１７ｂは、下部フレーム２ｂに設けられた凹部１３ｂを挟むように設けられたねじ孔である。
【００２１】
接続板１４には、上述の各ねじ孔１６ａ，１６ｂ，１７ａ，１７ｂにそれぞれ対応した図示しないねじ（ボルト）を挿入するための孔１８ａ，１８ｂ，１９ａ，１９ｂが設けられている。
【００２２】
上記構成の両フレーム２ａ，２ｂ及び接続板１４において、図２に示される状態は、駆動プーリＰ1 の支軸１０の一方側が開放された状態である。したがって、この状態において搬送ベルトＢの交換が行われる。また、必要に応じて駆動プーリＰ1 の修理等が行われる。
【００２３】
搬送ベルトＢの交換等が終了した後に接続板１４を用いた両フレーム２ａ，２ｂの接続が行われる。この接続は、図２に示される接続板１４を反転させて、つまり、突起部１５が両フレーム２ａ，２ｂの間隙に挿入するようにして両フレーム２ａ，２ｂに当接させられる。その後、接続板１４は、孔１８ａ，１８ｂ，１９ａ，１９ｂを介してねじ止めされる。
【００２４】
なお、上述の例では、両フレーム２ａ，２ｂ側にそれぞれ凹部１３ａ，１３ｂを設け、突起部１５側に凸部１５ａ，１５ｂをそれぞれ設けたが、フレーム２ａ，２ｂ側にそれぞれ凸部を設け、突起部１５側に凹部をそれぞれ設けるようにしてもよい。
【００２５】
【発明の効果】
本発明に係る玉磨き揚送装置は、駆動プーリの支軸を軸支する一方側のフレームをその駆動プーリの取付けられる上部フレームとベースに取付けられる下部フレームとに所定の間隙を有して２分割し、その２分割された上部フレーム及び下部フレームの対向する辺の一部に凹部又は凸部を設け、前記２分割された上部フレーム及び下部フレームは、それら両フレームに当接される接続板で一体化され、その接続板の当接面には、前記上部フレーム及び下部フレームの間隙に挿入し、かつ、前記上部フレーム及び下部フレームに設けられた凹部又は凸部に合致する凸部又は凹部を有する突起部が一体的に設けられているので、上部フレーム及び下部フレームを接続板で接続するだけで駆動プーリの位置決めができ、その後の調整作業を必要としない特長がある。また、搬送ベルトの張力を接続板で受け止めることができるので、従来のように、調整ねじのねじ山が張力で損傷するというような不都合を回避することができる。
【図面の簡単な説明】
【図１】（ａ）は、本発明の一実施の形態に係る玉磨き揚送装置の途中の一部を省略した側面図、（ｂ）は、その下部部分の背面図である。
【図２】フレームの下部部分の分解説明図である。
【符号の説明】
ａ  玉磨き揚送装置
Ｐ1   駆動プーリ
Ｂ  搬送ベルト
１  ベース
２  フレーム
２ａ  上部フレーム
２ｂ  下部フレーム
１０  支軸
１３ａ，１３ｂ  凹部
１４  接続板
１５ａ，１５ｂ  凸部
１５  突起部
１６ａ，１６ｂ，１７ａ，１７ｂ  ねじ孔
１８ａ，１８ｂ，１９ａ，１９ｂ  孔
【図１】
0003907870.tif 000002
【図２】
0003907870.tif 000003